(57)【要約】【課題】ウォッシャタンクの形状を複雑化したとしても、当該ウォッシャタンク内に貯留されるウォッシャ液の残量をレベルゲージにより正確に計測することができるウォッシャタンクの提供。【解決手段】タンク本体２１内に、ウォッシャ液注入管部２２寄りでタンク本体２１の上下方向に延びるよう案内壁部３７を設け、当該案内壁部３７により、ウォッシャ液注入管部２２からタンク本体２１内に差し込まれるレベルゲージの先端部をタンク本体２１内のウォッシャポンプ固定部２７側に向けて案内するようにした。案内壁部３７によりレベルゲージの先端部を適正位置に配置でき、複雑な形状のウォッシャタンク２０であっても、レベルゲージによりウォッシャ液の残量を正確に計測できる。【選択図】図４
2010012943.tif 000002
【特許請求の範囲】
【請求項１】
ウォッシャ液を貯留するウォッシャタンクであって、
中空状のタンク本体と、
前記タンク本体の上部に設けられ、前記ウォッシャ液を前記タンク本体内に注入するためのウォッシャ液注入管部と、
前記タンク本体の下部に設けられ、前記ウォッシャ液を外部に圧送するためのウォッシャポンプが固定されるウォッシャポンプ固定部と、
前記タンク本体内の前記ウォッシャ液注入管部寄りで前記タンク本体の上下方向に延びるよう設けられ、前記ウォッシャ液注入管部から前記タンク本体内に差し込まれるレベルゲージの先端部を、前記タンク本体内の前記ウォッシャポンプ固定部側に向けて案内する案内壁部とを備えることを特徴とするウォッシャタンク。
【請求項２】
請求項１記載のウォッシャタンクにおいて、前記ウォッシャ液注入管部と前記タンク本体との間に、前記案内壁部に向けて開口し、前記ウォッシャ液注入管部の開口面積よりも小さい開口面積の絞り部を設けることを特徴とするウォッシャタンク。
【請求項３】
請求項２記載のウォッシャタンクにおいて、前記絞り部と前記案内壁部との間に、前記レベルゲージを徐々に屈曲変形させる傾斜壁部を設けることを特徴とするウォッシャタンク。
【発明の詳細な説明】
【技術分野】
【０００１】
本発明は、ウォッシャ液を貯留するウォッシャタンクに関する。
【背景技術】
【０００２】
従来、自動車等の車両にはウォッシャ装置が搭載されている。ウォッシャ装置はエンジンルーム内の所定箇所に設置され、ウォッシャ液を貯留するウォッシャタンクとモータを有するウォッシャポンプとを備えている。ウォッシャポンプは、車室内等に設けられるウォッシャスイッチを操作することにより駆動され、これにより、ウォッシャタンク内のウォッシャ液がウィンドシールドに向けて噴射されるようになっている。そして、ウィンドシールドに噴射されたウォッシャ液を、ワイパ装置を駆動して払拭することにより、ウィンドシールドを洗浄することができる。
【０００３】
ウォッシャ装置を構成するウォッシャタンクには、ウォッシャタンク内のウォッシャ液の残量を確認するための長尺のレベルゲージが装着されるようになっている。そして、レベルゲージをウォッシャタンクから引き抜いて当該レベルゲージに付着したウォッシャ液を目視することにより、ウォッシャ液の残量を確認することができる。
【０００４】
このようなレベルゲージを抜き差しするようにしたウォッシャタンクとしては、例えば、特許文献１に記載されたものが知られている。
【０００５】
特許文献１に記載されたウォッシャタンクは、比較的単純な箱形状に形成され、ウォッシャタンクの上部には三次元的に屈曲されたインレットを備えている。そして、インレット内にレベルゲージを差し込むことにより、インレットの形状に沿ってレベルゲージが曲げられて、レベルゲージの先端部がウォッシャタンク内の略最下部の適正位置に配置されるようになっている。
【特許文献１】特開２００４−０７４９０５号公報（図１，図２）
【発明の開示】
【発明が解決しようとする課題】
【０００６】
ところで、ウォッシャ装置が設置されるエンジンルーム内には、ウォッシャ装置に加え、ラジエータやバッテリ，ハーネス等の複数の部品が設置されている。そのため、ウォッシャ装置を形成するウォッシャタンクは、所定の容量を確保した上でエンジンルーム内の限られた設置スペースに設置できるようにすることが望ましい。すなわち、エンジンルーム内の複雑な設置スペースの形状に倣ってウォッシャタンクを形成することで、ウォッシャタンクの容量を確保しつつ複雑な設置スペースにウォッシャタンクを設置することが可能となる。
【０００７】
この場合、例えば、ウォッシャタンクの内側または外側に向けて突出する複数の凹凸を形成したり、ウォッシャタンクの上下方向に対してインレットを所定角度傾斜させたりしてウォッシャタンクの形状を複雑化することで対応することができる。しかしながら、上述の特許文献１に記載されたウォッシャタンクを、単に、エンジンルーム内の複雑な設置スペースの形状に倣ってその形状を複雑化した場合には、ウォッシャタンクにレベルゲージを差し込んだ際に、レベルゲージの先端部がウォッシャタンク内の略最下部の適正位置に配置されない場合が起こり得る。例えば、レベルゲージの先端部が、その差し込み方向でかつウォッシャタンクの上部側に形成された凹部に引っ掛かってしまうようなことが起こり、この場合には、ウォッシャタンク内に貯留されるウォッシャ液の正確な残量の計測が不可能となる（例えば、図９中二点差線参照）。
【０００８】
本発明の目的は、ウォッシャタンクの形状を複雑化したとしても、当該ウォッシャタンク内に貯留されるウォッシャ液の残量をレベルゲージにより正確に計測することができるウォッシャタンクを提供することにある。
【課題を解決するための手段】
【０００９】
本発明のウォッシャタンクは、ウォッシャ液を貯留するウォッシャタンクであって、中空状のタンク本体と、前記タンク本体の上部に設けられ、前記ウォッシャ液を前記タンク本体内に注入するためのウォッシャ液注入管部と、前記タンク本体の下部に設けられ、前記ウォッシャ液を外部に圧送するためのウォッシャポンプが固定されるウォッシャポンプ固定部と、前記タンク本体内の前記ウォッシャ液注入管部寄りで前記タンク本体の上下方向に延びるよう設けられ、前記ウォッシャ液注入管部から前記タンク本体内に差し込まれるレベルゲージの先端部を、前記タンク本体内の前記ウォッシャポンプ固定部側に向けて案内する案内壁部とを備えることを特徴とする。
【００１０】
本発明のウォッシャタンクは、前記ウォッシャ液注入管部と前記タンク本体との間に、前記案内壁部に向けて開口し、前記ウォッシャ液注入管部の開口面積よりも小さい開口面積の絞り部を設けることを特徴とする。
【００１１】
本発明のウォッシャタンクは、前記絞り部と前記案内壁部との間に、前記レベルゲージを徐々に屈曲変形させる傾斜壁部を設けることを特徴とする。
【発明の効果】
【００１２】
本発明のウォッシャタンクによれば、タンク本体内に、ウォッシャ液注入管部寄りでタンク本体の上下方向に延びるよう案内壁部を設け、当該案内壁部により、ウォッシャ液注入管部からタンク本体内に差し込まれるレベルゲージの先端部をタンク本体内のウォッシャポンプ固定部側に向けて案内するようにしたので、ウォッシャタンクの形状を複雑化したとしても、案内壁部によりレベルゲージの先端部をタンク本体内の適正位置に配置することができる。したがって、ウォッシャタンク内に貯留されるウォッシャ液の残量を、レベルゲージにより正確に計測することができる。
【００１３】
本発明のウォッシャタンクによれば、ウォッシャ液注入管部とタンク本体との間に、案内壁部に向けて開口し、ウォッシャ液注入管部の開口面積よりも小さい開口面積の絞り部を設けるので、レベルゲージの先端部の差し込み方向を、絞り部によって確実に案内壁部に向けることができる。したがって、レベルゲージの先端部をより確実にタンク本体内の適正位置に配置することができる。
【００１４】
本発明のウォッシャタンクによれば、絞り部と案内壁部との間に、レベルゲージを徐々に屈曲変形させる傾斜壁部を設けるので、レベルゲージの急激な屈曲変形を抑えることができる。したがって、レベルゲージの差し込み抵抗の増加を抑制して、レベルゲージをタンク本体にスムーズに差し込むことができる。
【発明を実施するための最良の形態】
【００１５】
以下、本発明の一実施の形態について図面を用いて詳細に説明する。
【００１６】
図１は本発明に係るウォッシャタンクを備えたウォッシャ装置を説明する説明図を、図２はウォッシャタンクの表側を示す斜視図を、図３はウォッシャタンクの裏側を示す斜視図を、図４はウォッシャタンクを上方から見た平面図を、図５は図４のＡ−Ａ線に沿う断面図を、図６は図４のＢ−Ｂ線に沿う部分断面図を、図７（ａ），（ｂ）はレベルゲージの詳細構造を説明する説明図をそれぞれ表している。
【００１７】
図１に示すように、ウォッシャ装置１０は、プラスチック等の樹脂材料により形成され、内部にウォッシャ液Ｗを貯留するウォッシャタンク２０を備えている。ウォッシャタンク２０は、図１に示す上下左右の関係で自動車等の車両のエンジンルーム内（図示せず）に設置され、エンジンルーム内における設置箇所周辺の形状に倣って所定形状に形成されている。
【００１８】
ウォッシャタンク２０は、中空状のタンク本体２１を備えている。タンク本体２１の上部２１ａには、ウォッシャ液Ｗをタンク本体２１内に注入するための中空状のウォッシャ液注入管部２２が一体に設けられている。ウォッシャ液注入管部２２の先端側（図中上側）には、車両に対して略垂直方向（図中上下方向）に延びる中空状のインレット２３が接続されるようになっている。
【００１９】
インレット２３の先端側は、インレットキャップ（蓋部材）２４によって閉塞されるようになっている。インレットキャップ２４には、プラスチック等の樹脂材料により形成され、可撓性を有するレベルゲージ２５の基端部が接続されており、レベルゲージ２５の先端部は、インレット２３およびウォッシャ液注入管部２２を介してタンク本体２１内に差し込まれるようになっている。
【００２０】
タンク本体２１の下部２１ｂには、ウォッシャポンプ２６が固定されるウォッシャポンプ固定部２７が設けられている。ここで、ウォッシャタンク２０は、タンク本体２１，ウォッシャ液注入管部２２およびウォッシャポンプ固定部２７によって構成されている。
【００２１】
ウォッシャポンプ固定部２７に固定されるウォッシャポンプ２６には、内部にウォッシャ液Ｗが流通するフロントチューブ２６ａの基端部と、リヤチューブ２６ｂの基端部とが接続されている。
【００２２】
フロントチューブ２６ａの先端部には、略Ｙ字形状の分岐アダプタ２８の基端部が接続されており、分岐アダプタ２８の分岐された一対の先端部には、それぞれ一対のフロントウォッシャノズル２９が接続されている。一方、リヤチューブ２６ｂの先端部には、リヤウォッシャノズル３０が接続されている。各フロントウォッシャノズル２９は、車両のフロントウィンドシールドＦＷに向けられ、リヤウォッシャノズル３０は、車両のリヤウィンドシールドＲＷに向けられている。
【００２３】
ウォッシャポンプ２６には、配線３１を介して車室内のグローブボックス内等（図示せず）に設置されるコントローラ３２が電気的に接続されており、また、コントローラ３２には、操作スイッチ（ウォッシャスイッチ）３３が電気的に接続されている。操作スイッチ３３を操作することにより、コントローラ３２からウォッシャポンプ２６に駆動電流が供給され、これにより、ウォッシャポンプ２６は正駆動（正回転）または逆駆動（逆回転）するようになっている。
【００２４】
ウォッシャポンプ２６を正駆動することにより、タンク本体２１内のウォッシャ液Ｗがタンク本体２１の外部のフロントチューブ２６ａ内に圧送されて、ウォッシャ液Ｗが各フロントウォッシャノズル２９を介してフロントウィンドシールドＦＷに噴射される。一方、ウォッシャポンプ２６を逆駆動することにより、タンク本体２１内のウォッシャ液Ｗがタンク本体２１の外部のリヤチューブ２６ｂ内に圧送されて、ウォッシャ液Ｗがリヤウォッシャノズル３０を介してリヤウィンドシールドＲＷに噴射される。
【００２５】
タンク本体２１内には、図５に示すように、ウォッシャポンプ固定部２７側（図中下側）に設けられる主室３４と、ウォッシャ液注入管部２２側（図中上側）に設けられる副室３５とが設けられており、主室３４の容積は副室３５の容積よりも大きく設定されている。
【００２６】
主室３４と副室３５との間には、タンク本体２１の上下方向に延びるよう各室３４，３５同士を連通する連通路３６が設けられている。このように、タンク本体２１は、連通路３６を挟んで上下側に主室３４および副室３５が並列に設けられる二階建て構造を採用している。タンク本体２１を二階建て構造に形成することにより、タンク本体２１の外部における主室３４と副室３５との間には所定の空間Ｒ１が形成されている。そして、空間Ｒ１内には、車体への取り付けの際に必要な車体側の位置決め部材（図示せず）や、エンジンルーム内に設置されるハーネス等の部品（図示せず）を配置可能となっている。
【００２７】
タンク本体２１の内部には、図４に示すように、ウォッシャ液注入管部２２寄りで、かつタンク本体２１の上下方向に延びるよう案内壁部３７が設けられている。案内壁部３７は連通路３６を形成しており、当該案内壁部３７の横断面形状は略Ｌ字形状に形成されている（図中破線部分参照）。案内壁部３７には、ウォッシャ液注入管部２２を介してタンク本体２１内に差し込まれるレベルゲージ２５の先端部が摺接するようになっており、案内壁部３７は、レベルゲージ２５をタンク本体２１内に差し込む際に、レベルゲージ２５の先端部をタンク本体２１内のウォッシャポンプ固定部２７側に向けて案内し、下部２１ｂに近接する構成となっている。
【００２８】
ウォッシャ液注入管部２２は、図２〜図４に示すように、タンク本体２１の上下方向に対して所定の傾斜角度を持って設けられており、ウォッシャ液注入管部２２内の開口面積は、その先端側から基端側に至る略全域においてＳ１に設定されている。ウォッシャ液注入管部２２とタンク本体２１との間には、ウォッシャ液注入管部２２の開口面積Ｓ１よりも小さい開口面積Ｓ２（Ｓ２＜Ｓ１）に設定された絞り部３８が設けられている（図中網掛部参照）。
【００２９】
ここで、タンク本体２１の外部におけるウォッシャ液注入管部２２の先端側と主室３４との間には所定の空間Ｒ２が形成されている。そして、空間Ｒ２内には、空間Ｒ１と同様にエンジンルーム内に設置されるハーネス等の部品を配置可能となっている。
【００３０】
絞り部３８と案内壁部３７との間には、図６に示すように、案内壁部３７に対して絞り部３８側に所定角度傾斜した傾斜壁部３９が設けられており、この傾斜壁部３９は案内壁部３７の一部（図中上側）を構成している。絞り部３８は傾斜壁部３９に向けて開口しており、これにより、ウォッシャ液注入管部２２を介して絞り部３８を通過したレベルゲージ２５の先端部が、最初に傾斜壁部３９に接触するようになっている。
【００３１】
傾斜壁部３９は、案内壁部３７に対するレベルゲージ２５の先端部の接触角度を緩やかにする役割を果たしており、レベルゲージ２５を徐々に屈曲変形させて、レベルゲージ２５の先端部をタンク本体２１内のウォッシャポンプ固定部２７側（図中下側）に向けるようになっている。
【００３２】
図７に示すように、レベルゲージ２５は、長尺の薄板状に形成されており、図中二点鎖線に示すように板厚方向に容易に撓むように形成されている。レベルゲージ２５の先端側（図中右側）には、タンク本体２１内のウォッシャ液Ｗの残量を示す目盛り２５ａが設けられており、目盛り２５ａは、複数の凹凸または複数の穴によって構成されている。これにより、目盛り２５ａにはウォッシャ液Ｗが付着し易くなり、目盛り２５ａに付着したウォッシャ液Ｗを目視することで、ウォッシャ液Ｗの残量を計測することができる。なお、ウォッシャ液Ｗの残量が一目で判るように、目盛り２５ａには、「１／２」や「１／４」等の文字（具体的な残量表示）が併記されている。
【００３３】
レベルゲージ２５の基端側（図中左側）は、レベルゲージ２５の長手方向中央部分よりも薄肉に形成され、板厚方向により撓み易く形成されている。レベルゲージ２５の基端部は、インレットキャップ２４の略中心部分に一体に設けられた円柱固定部２４ａに回動自在に取り付けられている。これにより、図１に示すように、レベルゲージ２５はその基端側で円柱固定部２４ａに対して略直角に屈曲することができ、レベルゲージ２５をインレット２３に差し込みつつ、インレットキャップ２４によりインレット２３を閉塞できるようになっている。
【００３４】
レベルゲージ２５の先端側には、レベルゲージ２５の短手方向寸法（幅寸法）よりも、若干大きい直径寸法に設定された十字円盤部２５ｂが一体に設けられている。十字円盤部２５ｂは、一対の円盤片２５ｃを互いに十字形状に組み合わせることにより形成され、十字円盤部２５ｂの外郭形状は略球状となっている。これにより、レベルゲージ２５の先端部は、ウォッシャ液注入管部２２やタンク本体２１の内部形状に沿って移動し易くなっている。
【００３５】
次に、以上のように構成したウォッシャタンク２０へのレベルゲージ２５の差し込み作業時の動作について、図面を用いて詳細に説明する。
【００３６】
図８はレベルゲージの先端部の移動の様子を説明する図４のＢ−Ｂ線に沿う断面図を、図９はレベルゲージの差し込み完了時の様子を説明する図５に対応する断面図をそれぞれ表している。
【００３７】
まず、図７に示す状態から図１に示す状態となるように、インレットキャップ２４に対してレベルゲージ２５を略直角に屈曲させる。次いで、レベルゲージ２５の先端部（十字円盤部２５ｂ）をインレット２３に差し込む。インレット２３への差し込み作業を継続して行うことにより、レベルゲージ２５の十字円盤部２５ｂが図中（１）に示すようにウォッシャ液注入管部２２に到達する。
【００３８】
ウォッシャ液注入管部２２に到達した十字円盤部２５ｂは、その後、図中（２）に示すようにウォッシャ液注入管部２２の内側形状に沿って移動、つまりウォッシャ液注入管部２２の内周壁を摺接する。このとき、ウォッシャ液注入管部２２の傾斜角度が水平方向に対して徐々に緩くなるため、レベルゲージ２５は、その屈曲角度がきつくなるよう屈曲変形（弾性変形）される。
【００３９】
十字円盤部２５ｂは、ウォッシャ液注入管部２２内における移動後に絞り部３８に到達する。その後、さらに十字円盤部２５ｂが移動して絞り部３８を通過し、これにより十字円盤部２５ｂの進行方向、つまりレベルゲージ２５の差し込み方向が傾斜壁部３９に向けられて、十字円盤部２５ｂは図中（３）に示すように傾斜壁部３９に接触する。
【００４０】
十字円盤部２５ｂが傾斜壁部３９に接触すると、レベルゲージ２５が徐々に屈曲変形されて、十字円盤部２５ｂは図中下方側、つまりタンク本体２１のウォッシャポンプ固定部２７側に形成される主室３４に向けられる。このとき、レベルゲージ２５は、傾斜壁部３９により徐々に屈曲変形されるため、レベルゲージ２５の差し込み抵抗が増加するのを抑制することができる。
【００４１】
レベルゲージ２５の差し込み作業をさらに継続することにより、十字円盤部２５ｂは傾斜壁部３９上から案内壁部３７上に移動する。すると、十字円盤部２５ｂは、案内壁部３７の略Ｌ字形状の角部に沿って安定した状態（ふらつかない状態）で、図中（４）に示すように移動していく。その後、インレットキャップ２４をインレット２３に装着してインレット２３を閉塞することにより、十字円盤部２５ｂ、つまりレベルゲージ２５の先端部は図中（５）に示すタンク本体２１内の略最下部の適正位置（主室３４内）に配置される。
【００４２】
このように、図８および図９に示すようにウォッシャ液Ｗの残量が少ない場合においても、図９中二点差線に示すように、レベルゲージ２５の先端部（十字円盤部２５ｂ）が副室３５に引っ掛かるようなことが無く、ウォッシャタンク２０内（主室３４内）に貯留されるウォッシャ液Ｗの正確な残量を計測することができる。なお、図９中二点差線に示す状態は、案内壁部３７を設けない場合のレベルゲージ２５の差し込み状態を示している。
【００４３】
以上詳述したように、本実施の形態に係るウォッシャタンク２０によれば、タンク本体２１内に、ウォッシャ液注入管部２２寄りでタンク本体２１の上下方向に延びるよう案内壁部３７を設け、当該案内壁部３７により、ウォッシャ液注入管部２２からタンク本体２１内に差し込まれるレベルゲージ２５の先端部をタンク本体２１内のウォッシャポンプ固定部２７側に向けて案内するようにしたので、ウォッシャタンク２０の形状を複雑化したとしても、案内壁部３７によりレベルゲージ２５の先端部をタンク本体２１内の適正位置に配置することができる。したがって、ウォッシャタンク２０内に貯留されるウォッシャ液Ｗの残量を、レベルゲージ２５により正確に計測することができる。
【００４４】
また、本実施の形態に係るウォッシャタンク２０によれば、ウォッシャ液注入管部２２とタンク本体２１との間に、案内壁部３７に向けて開口し、ウォッシャ液注入管部２２の開口面積Ｓ１よりも小さい開口面積Ｓ２の絞り部３８を設けたので、レベルゲージ２５の先端部の差し込み方向を、絞り部３８によって確実に案内壁部３７に向けることができる。したがって、レベルゲージ２５の先端部をより確実にタンク本体２１内の適正位置に配置することができる。
【００４５】
さらに、本実施の形態に係るウォッシャタンク２０によれば、絞り部３８と案内壁部３７との間に、レベルゲージ２５を徐々に屈曲変形させる傾斜壁部３９を設けたので、レベルゲージ２５の急激な屈曲変形を抑えることができる。したがって、レベルゲージ２５の差し込み抵抗の増加を抑制して、レベルゲージ２５をタンク本体２１にスムーズに差し込むことができる。
【００４６】
本発明は上記実施の形態に限定されるものではなく、その要旨を逸脱しない範囲で種々変更可能であることは言うまでもない。例えば、上記実施の形態においては、ウォッシャ液注入管部２２とタンク本体２１との間に絞り部３８を設けたものを示したが、本発明はこれに限らず、ウォッシャ液注入管部２２の基端側の開口方向によっては絞り部３８を省略することもできる。つまり、ウォッシャ液注入管部２２の案内壁部３７に対する傾斜角度が緩やかである場合等においては、絞り部３８を省略することができる。
【００４７】
また、上記実施の形態においては、絞り部３８と案内壁部３７との間に、傾斜壁部３９を設けたものを示したが、本発明はこれに限らず、より柔軟性に富む樹脂材料により形成されたレベルゲージを用いることにより、傾斜壁部３９を省略することもできる。つまり、柔らかいレベルゲージを採用することで、レベルゲージを傾斜壁部３９により強制的に屈曲させる必要が無くなり、案内壁部３７のみで充分に屈曲変形させることが可能となる。
【００４８】
さらに、上記実施の形態においては、ウォッシャタンク２０を、自動車等の車両に搭載されるウォッシャ装置１０の構成部品として説明したが、本発明はこれに限らず、例えば、航空機や鉄道車両，建設機械等に搭載されるウォッシャ装置の構成部品としても用いることがきる。
【図面の簡単な説明】
【００４９】
【図１】本発明に係るウォッシャタンクを備えたウォッシャ装置を説明する説明図である。
【図２】ウォッシャタンクの表側を示す斜視図である。
【図３】ウォッシャタンクの裏側を示す斜視図である。
【図４】ウォッシャタンクを上方から見た平面図である。
【図５】図４のＡ−Ａ線に沿う断面図である。
【図６】図４のＢ−Ｂ線に沿う部分断面図である。
【図７】（ａ），（ｂ）はレベルゲージの詳細構造を説明する説明図である。
【図８】レベルゲージの先端部の移動の様子を説明する図４のＢ−Ｂ線に沿う断面図である。
【図９】レベルゲージの差し込み完了時の様子を説明する図５に対応する断面図である。
【符号の説明】
【００５０】
１０    ウォッシャ装置
２０    ウォッシャタンク
２１    タンク本体
２１ａ    上部
２１ｂ    下部
２２    ウォッシャ液注入管部
２３    インレット
２４    インレットキャップ
２４ａ    円柱固定部
２５    レベルゲージ
２５ａ    目盛り
２５ｂ    十字円盤部（先端部）
２５ｃ    円盤片
２６    ウォッシャポンプ
２６ａ    フロントチューブ
２６ｂ    リヤチューブ
２７    ウォッシャポンプ固定部
２８    分岐アダプタ
２９    フロントウォッシャノズル
３０    リヤウォッシャノズル
３１    配線
３２    コントローラ
３３    操作スイッチ
３４    主室
３５    副室
３６    連通路
３７    案内壁部
３８    絞り部
３９    傾斜壁部
ＦＷ    フロントウィンドシールド
ＲＷ    リヤウィンドシールド
Ｗ    ウォッシャ液
Ｒ１，Ｒ２    空間
Ｓ１，Ｓ２    開口面積
【図１】
2010012943.tif 000003
【図２】
2010012943.tif 000004
【図３】
2010012943.tif 000005
【図４】
2010012943.tif 000006
【図５】
2010012943.tif 000007
【図６】
2010012943.tif 000008
【図７】
2010012943.tif 000009
【図８】
2010012943.tif 000010
【図９】
2010012943.tif 000011